(57)【要約】【課題】上半身を起こすときの腕に加える力を軽減させることができ、握力が弱くても手が滑るようなことがない安全性の高い起き上がり動作補助具を提供する。【解決手段】ベース板２の上面で両側の位置に、所定の間隔を設けて垂直に起立する二本の支柱３を立設し、前記両支柱３間の途中の位置に、この両支柱３間の前方に向けて水平に張り出す肘掛板４を取付け、前記両支柱３間で肘掛板４よりも上部の位置に横桟５を架設し、前記両支柱３の上端間に握り板６を架設した。【選択図】図１
0003169362.tif 000002
【実用新案登録請求の範囲】
【請求項１】
ベース板の上面で両側の位置に、所定の間隔を設けて垂直に起立する二本の支柱を立設し、前記両支柱間の途中の位置に、この両支柱間の前方に向けて水平に張り出す肘掛板を、両支柱に対して直接固定することにより取付け、前記両支柱間で肘掛板よりも上部の位置に横桟を架設し、前記両支柱の上端間に握り板を架設した起き上がり動作補助具。
【請求項２】
上記支柱は、ベース板の上面に下端を固定した大径管と、この大径管に上端の開口から上下軸方向に移動可能となるよう挿入した小径管と、前記小径管を大径管に固定する調整具とで上下高さが調整自在となるように形成され、上記肘掛板が両大径管に固定されている請求項１に記載の起き上がり動作補助具。
【考案の詳細な説明】
【技術分野】
【０００１】
この考案は、布団やベッドに横たわる人が起きるときに補助する起き上がり動作補助具、更に詳しくは、老齢者や下肢、腰の弱い障害者や病弱者であっても、腕にあまり負担を欠けずに腕を有効に使って速やかに起き上がることができるようにした起き上がり動作補助具に関する。
【背景技術】
【０００２】
従来の起き上がり動作補助具としては、ベース板の上に下向きコ字状に形成したフレームを垂直に立設し、このフレーム内の上下所要箇所に横桟を設けた構造を有し、ベース板の一部を布団やマットの下に挿入してフレームを布団やマットの側部に位置させ、布団やベッドに横たわる人が起きるときは、フレームや横桟を片方の手で握り、その腕に力を入れて上半身を起こすことにより、起きるときの補助を行うものである（例えば、特許文献１と２参照）。
【０００３】
ところで、上記従来の起き上がり動作補助具は、フレーム又は横桟を単に握るだけの構造になっているので、この起き上がり動作補助具を用いて起き上がるとき、起き上がり開始から上半身が起き上がるまで、常時腕に力を入れて上半身を引き起こすようにしなければならず、このため、老齢者や障害者、病弱者のように腕力の弱い人には起き上がりに困難を伴うと共に、必要以上に体力を消耗させることになる。
【０００４】
そこで、図４に示すように、ベース板２１の上面で両側の位置に、所定の間隔を設けて垂直に起立するよう立設した二本の支柱２２と、両支柱２２の前部で下部の位置に前方に突出する支持フレーム２３とを設け、前記両支持フレーム２３間の上に肘掛板２４を水平に取付け、前記両支柱２２の前部で肘掛板２４よりも上部の位置に、支柱２２の途中と支持フレーム２３の上面を結合するサイドフレーム２５を設け、更に各支柱２２の上端に前後方向に向く握り棒２６を固定した起き上がり動作補助具が提案されている。
【０００５】
上記肘掛板２４を設けた起き上がり動作補助具は、支柱２２や支持フレーム２３、サイドフレーム２５等を握って片方の腕で上半身を起こすとき、起きる途中で他方の腕の肘を肘掛板２４に載せるようにすることで、上半身の体重の一部を支え、これにより、支柱２２や支持フレーム２３等を握った片方の腕に加える力を軽減させ、両腕の力を有効に使って上半身を起こすことができるようにしようとするものである。
【先行技術文献】
【特許文献】
【０００６】
【特許文献１】実用新案登録第３０３４５３６号公報
【特許文献２】実用新案登録第３０２４８３１号公報
【考案の概要】
【考案が解決しようとする課題】
【０００７】
ところで、上記した肘掛板２４を設けた起き上がり動作補助具は、図４のように、支柱２２の前部に向けて肘掛板２４が大きく突出しているため、支柱２２を手で握るには遠い位置にあり、どうしても低い位置にある支持フレーム２３やサイドフレーム２５を握ることになり、握り位置が肘掛板２４よりも下になると上半身に対する腕の角度が小さくなり、上半身の引き起こし時に腕の力を有効に作用させることができないので、強い腕力や握力が必要になるという問題がある。
【０００８】
また、支持フレーム上に設けた肘掛板２４にはその上面で両側の位置にサイドフレーム２５が張り出した構造になっているので、肘掛板２４に肘をつくときにサイドフレーム２５が邪魔になり、腕の下腕全体を肘掛板２４の上に載せることができず、このため、肘掛板２４に肘から下腕をついて上半身を支える動作が行いにくく、実質的に、支柱２２や支持フレーム２３等を握った片方の腕に加える力を軽減させることができないという問題がある。
【０００９】
更に、両支柱２２の上端に設けた握り棒２６は、支柱２２の前後方向に向いているので、起き上がるときにこれを握ると、老齢者や障害者、病弱者のように握力の弱い者では握った手が抜けて転倒するような危険がある。
【００１０】
そこで、この考案の課題は、上半身に対する腕の角度を大きく選択することができ、しかも、肘掛板に肘から下腕を安定よく沿わせることで腕に加える力を軽減させることができ、握力が弱くても手が滑るようなことがないので安全性の向上が図れる起き上がり動作補助具を提供することにある。
【課題を解決するための手段】
【００１１】
上記の課題を解決するため、この考案は、ベース板の上面で両側の位置に、所定の間隔を設けて垂直に起立する二本の支柱を立設し、前記両支柱間の途中の位置に、この両支柱間の前方に向けて水平に張り出す肘掛板を、両支柱に対して直接固定することにより取付け、前記両支柱間で肘掛板よりも上部の位置に横桟を架設し、前記両支柱の上端間に握り板を架設したものである。
【００１２】
上記支柱は、ベース板の上面に下端を固定した大径管と、この大径管に上端の開口から上下軸方向に移動可能となるよう挿入した小径管と、前記小径管を大径管に固定する調整具とで上下高さが調整自在となるように形成され、上記肘掛板が両大径管に固定されているようにすることができる。
【００１３】
ここで、ベース板は、前後方向に長い平面長方形で四隅を丸くした木製板や金属板を用い、その上面で略中央の両側位置に一対の支柱が所定の距離を設けて立設され、支柱の大径管は下端に設けたフランジをベース板にビス止めすることにより固定され、前記支柱の調整具は、大径管の上端部に固定したナットに調整ねじを取付け、大径管に挿入した小径管に調整ねじの雄ねじ軸が嵌る調整孔を上下に所定の間隔で複数設け、小径管を上下に移動させて調整ねじの雄ねじ軸が嵌る調整孔を選ぶことにより、支柱の高さ寸法を調整することができるようになっている。
【００１４】
上記肘掛板は、ベース板の幅方向に沿って長い平面長方形の木製板を用い、腕の肘から下腕の全体が載るのに十分な大きさを有し、後方寄りの両側位置に設けた孔を支柱における大径管の上端部に嵌め合わせ、大径管に固定したブラケットで下面を支持することにより、両支柱間に水平の配置で固定され、両支柱の前面側に張り出した配置になっている。
【００１５】
上記握り板は、両側支柱の間隔よりも長い木製の横長に形成され、両側支柱における小径管の上端を結合する連結板の上面に重ね、連結板から下面にビスをねじ込むことによって固定されている。
【考案の効果】
【００１６】
この考案によると、ベース板の上面に立設した両支柱間の途中の位置に、この両支柱間の前方に向けて水平に張り出す肘掛板を、両支柱に対して直接固定することにより取付けたので、前記肘掛板の支柱から前方に張り出す部分の上面には障害物の発生が一切なく、これにより、支柱の横桟や上端間の握り板を片方の手で握って起き上がるときの途中で、他方の手の肘から下腕の全体を確実に肘掛板上へ載せることができ、起きる途中における上半身の体重を肘をついた側の腕で支えることにより、上半身を引き起こすために必要な腕の力を大幅に軽減でき、老齢者や障害者、病弱者のように腕力の弱い者でも楽に起き上がることができる。
【００１７】
また、両支柱間で肘掛板よりも上部の位置に横桟を架設し、前記両支柱の上端間に握り板を架設したので、横桟及び握り板は握ったときに手が引っかかる配置になり、握力が弱くても手が滑るようなことがないので安全性の向上が図れると共に、起き上がるときに横桟や握り板を握るようにすると、上半身に対して腕の傾斜角度を比較的大きくすることができ、これにより、腕力が上半身引き起こしの力として有効に作用するので、握力の弱い者でも楽に起き上がることができることになる。
【図面の簡単な説明】
【００１８】
【図１】この考案に係る起き上がり動作補助具の斜視図
【図２】この考案に係る起き上がり動作補助具の一部を切り欠いた正面図
【図３（Ａ）】この考案に係る起き上がり動作補助具の使用状態を示し、（ａ）は布団の横に起き上がり動作補助具を配置した状態の斜視図、（ｂ）は起き上がり途中の肘をついた状態の斜視図
【図３（Ｂ）】（ｃ）は肘をついた状態の起き上がり途中の状態を示す斜視図、（ｄ）は握り板を握った起き上がり途中の状態を示す斜視図
【図３（Ｃ）】（ｅ）は握り板を両手で握った起き上がり状態を示す斜視図、（ｆ）は起き上がり状態を示す斜視図
【図４】従来の起き上がり動作補助具を示す斜視図
【考案を実施するための形態】
【００１９】
以下、この考案の実施の形態を図示例に基づいて説明する。
【００２０】
図１と２のように、この考案の起き上がり動作補助具１は、ベース板２と、このベース板２の上面で両側の位置に、所定の間隔を設けて垂直に起立するよう立設した二本の支柱３と、前記両支柱３間の途中の位置に、両支柱３に対して直接固定することにより取付けた肘掛板４と、前記両支柱３間で肘掛板４よりも上部の位置に架設した複数の横桟５と、前記両支柱３の上端間に架設した握り板６とで形成されている。
【００２１】
上記ベース板２は、例えば、幅５００ｍｍ、前後長さ６００ｍｍの前後方向に長い平面長方形で四隅を丸くした木製板や金属板等の硬質板を用い、その上面で略中央の両側位置に一対の支柱３が中心間の距離が２４０ｍｍとなるようにして垂直に立設されている。
【００２２】
上記支柱３は、下端に設けたフランジ７をベース板２の上面にビス７ａで止めることにより垂直に固定した金属パイプの大径管８と、この大径管８に上端の開口から上下軸方向に移動可能となるよう挿入した金属パイプの小径管９と、前記小径管９を大径管８に対して固定するため、大径管８の上端側の位置に設けた高さ調整具１０とで形成されている。
【００２３】
上記高さ調整具１０は、大径管８の上端部に固定したナット１１に、雄ねじ軸１２ａを螺合することにより大径管８の周壁を貫通させることができる調整ねじ１２を取付け、大径管８に挿入した小径管９に調整ねじ１２の雄ねじ軸１２ａが嵌る調整孔１３を上下に所定の間隔で複数設けた構造を有し、小径管９を上下に移動させて調整ねじ１２の雄ねじ軸１２ａが嵌る調整孔１３を選ぶことにより、支柱３の上下高さ寸法を使用する人に合わせて調整することができるようになっている。
【００２４】
上記肘掛板４は、ベース板２の幅方向に沿って長い平面長方形の木製板や樹脂板を用い、人の腕の肘から下腕の全体が載るのに十分な大きさの幅と長さを有し、後方寄りの両側位置に設けた孔を各支柱３における大径管８の上端部に嵌め合わせ、大径管８に前方向きとなるよう固定したブラケット１４で下面を支持してヒス止めすることにより、両支柱３間に水平の配置で固定され、両支柱３から前面側に例えば１５０ｍｍ程度の長さだけ張り出した上面に障害物のないフラットな構造になっている。
【００２５】
このように、両支柱３に対して肘掛板４の前面側への張り出し長さを上記のように設定すると、肘掛板４に下腕を載せることができる条件で、前面側への張り出し長さを抑えることができ、これにより、肘掛板４が支柱３や横桟５を握るときの邪魔にならず、肘掛板４よりも上の位置で支柱３や横桟５を握ることにより、横たわった人の上半身に対する腕の角度を大きく設定でき、腕力を上半身の引き起こす力として有効に作用させることができる。
【００２６】
上記支柱３間に設けた横桟５は、金属パイプを用い、小径管９を互いに結合一体化していると共に、握り板６は、両側支柱３の間隔よりも長い木製の横長に形成され、両側支柱３における小径管９の上端を結合する連結板１５から小径管９の上端を覆うようにして上面に重ね、連結板１５から下面にビス１６をねじ込むことによって固定されている。
【００２７】
この考案の起き上がり動作補助１は、上記のような構成であり、図３（Ａ）の（ａ）のように、布団Ａに横たわる人に対して、上半身を少し起こすようにしながら腕を伸ばせば支柱３や横桟５が掴めるよう、ベース板２の前側を布団Ａの下に差込んだ状態で、例えば利き腕と反対側となる身体の横位置に配置する。
【００２８】
布団Ａに横たわる人が起き上がる場合、先ず、上半身を少し起こすようにしながら身体を起き上がり動作補助の側へ少し捻り、利き腕で支柱３や横桟５又は握り板６を握り、この状態で利き腕に力を入れて上半身を引上げるようにすると同時に上半身を起こすようにする。
【００２９】
上記横桟５又は握り板６は、肘掛板４よりも上方に位置しているので、横桟５又は握り板６を握ったときの腕の角度が比較的大きくなり、腕力が上半身を起こす力として有効に作用する。
【００３０】
このようにして上半身が少し起き上がると、図３（Ａ）の（ｂ）のように、他方の腕の肘を肘掛板４の上に載せ、この肘から下腕の全体を肘掛板４の上に載せることで、起き上がり途中における上半身の体重の一部を支え、上半身を引き起こす利き腕側の負担を軽減する。
【００３１】
上記肘掛板４は、両支柱３に対して直接固定することにより、両支柱３間の前方に向けて水平に張り出すようになっているので、上面はフラットで障害物がなく、腕の肘から下腕の全体を載せて上半身の体重の一部を確実に支えることができ、上半身の引き起こしに要する腕力の軽減を図ることができる。
【００３２】
上記のように肘掛板４の上に他方の腕の肘から下腕の全体を掛ければ、利き腕による引上げによって上半身を簡単に起こすことができ、図３（Ｂ）の（ｃ）、（ｄ）と図３（Ｃ）の（ｅ）、（ｆ）で順番に示すように、上半身が起きると肘掛板４の上に載る他方の腕の肘から下腕を支点として、足を折り曲げるようにしながら下半身を起こすようにして膝をつき、次に、横桟５又は握り板６を両腕で握りなおしながら足を伸ばして下半身を起こしながら立ち上がるようにすればよい。
【００３３】
上記横桟５又は握り板６は、腕の引っ張り方向に対して交差する配置になっているので、これを手で握ったときに滑り抜けるようなことがなくなり、腕力の弱い人でも安全に起き上がることができる。
【符号の説明】
【００３４】
１          起き上がり動作補助具
２          ベース板
３          支柱
４          肘掛板
５          横桟
６          握り板
７          フランジ
８          大径管
９          小径管
１０        高さ調整具
１１        ナット
１２        調整ねじ
１３        調整孔
１４        ブラケット
１５        連結板
１６        ビス
【図１】
0003169362.tif 000003
【図２】
0003169362.tif 000004
【図３（Ａ）】
0003169362.tif 000005
【図３（Ｂ）】
0003169362.tif 000006
【図３（Ｃ）】
0003169362.tif 000007
【図４】
0003169362.tif 000008